(57)【要約】【課題】音響反射板の音響特性を向上させる。【解決手段】音響反射板１０は、板状材１１と、ハニカム材１２，１３とを有する。前記ハニカム材１２は、前記板状材１１の表側の面から立設され、他方の端が開放されたハニカム構造を有する。前記ハニカム材１３は、前記板状材１１の裏側の面から立設され、他方の端が開放されたハニカム構造を有する。例えば、密閉型のスピーカ装置において、エンクロージャの内部に前記音響反射板１０を固定して、定在波を抑制する。あるいは、前記音響反射板１０を衝立てとして使用し、演奏者やスピーカ装置の背後などに配置する。あるいは、オーディオルームの壁面に、前記音響反射板１０を固定してもよい。【選択図】図１
2020012962.tif 000002
【特許請求の範囲】
【請求項１】
板状材と、
前記板状材の表側の面から立設され、他方の端が解放されたハニカム構造を有するハニカム材と
を備える、音響反射板。
【請求項２】
板状材と、
前記板状材の表側の面から立設され、他方の端が解放されたハニカム構造を有するハニカム材と、
前記板状材の裏側の面から立設され、他方の端が解放されたハニカム構造を有する第二のハニカム材と
を備える、音響反射板。
【請求項３】
エンクロージャと、
前記エンクロージャの内部に固定され、前記エンクロージャの側面と平行でない向きに配置された請求項１又は２の音響反射板と
を備える、スピーカ装置。
【請求項４】
請求項１又は２の音響反射板と、
前記音響反射板を支持する支持部と
を備える、衝立て。
【請求項５】
部屋を画定する壁面と、
前記壁面に固定され、前記部屋の内部に配置された請求項１又は２の音響反射板と
を備える、建物。
【発明の詳細な説明】
【技術分野】
【０００１】
本発明は、音響を反射する音響反射板に関する。
【背景技術】
【０００２】
単純な平板状の音響反射板が知られている。
【発明の概要】
【発明が解決しようとする課題】
【０００３】
従来の音響反射板において、音響性能を高めるためには、十分な剛性を有する必要があり、特に、低音のおける音響性能を高めるためには、十分な厚さが必要である。このため、従来の音響反射板は、重量が重くなっていた。
本発明は、軽量で、かつ、優れた音響性能を有する音響反射板を提供することを目的とする。
【課題を解決するための手段】
【０００４】
音響反射板は、板状材と、ハニカム材とを備える。前記ハニカム材は、前記板状材の表側の面から立設され、他方の端が解放されたハニカム構造を有する。
前記音響反射板は、更に、第二のハニカム材とを備える。前記第二のハニカム材は、前記板状材の裏側の面から立設され、他方の端が解放されたハニカム構造を有する。
スピーカ装置は、エンクロージャと、前記音響反射板とを備える。前記音響反射板は、前記エンクロージャの内部に固定され、前記エンクロージャの側面と平行でない向きに配置される。
衝立ては、前記音響反射板と、前記音響反射板を支持する支持部とを備える。
建物は、部屋を画定する壁面と、前記音響反射板とを備える。前記音響反射板は、前記壁面に固定され、前記部屋の内部に配置される。
【発明の効果】
【０００５】
これにより、軽量で、かつ、優れた音響性能を有する音響反射板を提供することができる。
【図面の簡単な説明】
【０００６】
【図１】音響反射板１０の一例を示す正面図。
【図２】前記音響反射板１０を示すＩＩ−ＩＩ断面図。
【図３】スピーカ装置２０の一例を示す正面図。
【図４】前記スピーカ装置２０を示すＩＶ−ＩＶ断面図。
【図５】衝立て３０の一例を示す斜視図。
【図６】建物４０の一例を示す部分間取り図。
【発明を実施するための形態】
【０００７】
図１及び２を参照すると、音響反射板１０は、以下を有する。
＜板状材１１＞平面板状である。
＜ハニカム材１２＞ハニカム構造を有する。例えば、小さな平板状の材料を組み合わせて構成され、前記平板状の材料によって囲まれた小さな六角柱状の貫通穴を多数有し、全体として平面板状をなす。前記貫通穴の形状は、六角柱状に限らず、三角柱状、四角柱状、五角柱状などであってもよい。前記平板状の材料は、前記板状材１１の表側の面から立設され、他方の端が解放されている。すなわち、前記貫通穴の一方の端が、前記板状材１１によって閉鎖され、有底穴となっている。
＜ハニカム材１３＞前記ハニカム材１２と同様、ハニカム構造を有する。前記ハニカム構造は、前記板状材１１の裏側の面から立設され、他方の端が解放されている。
【０００８】
すなわち、通常のハニカム板は、二枚の板状材の間に、ハニカム材を挟んだ構造を有するのに対し、前記音響反射板１０は、二枚のハニカム材１２，１３の間に、板状材１１を挟んだ構造を有する。
【０００９】
実験によると、前記音響反射板１０は、単なる平板状の音響反射板と比較して、非常に優れた音響特性を有することがわかった。
【００１０】
前記ハニカム材１２，１３の穴のピッチは、特に限定しない。例えば１５ｍｍであってもよいし、もっと大きくてもよいし、もっと小さくてもよい。
【００１１】
前記ハニカム材２２，２３の材質は、特に限定しない。重量を抑えるためには、ボール紙などの紙、ポリプロピレンや繊維強化プラスチックなどのプラスチックなど、比重の軽い材質が好ましい。形状も、特に限定しない。正方形、長方形、六角形、円形、楕円形などであってもよい。全体の厚さも、特に限定しない。例えば２０ｍｍであってもよい。
【００１２】
また、前記ハニカム材２２，２３（又は反射板）は、前記板状材２１の両面に設けるのではなく、表側の面だけに設けてもよい。しかし、実験によれば、両面に設けるほうが、更に優れた音響特性を有する。
【００１３】
前記音響反射板は、様々な製品に応用することができる。以下に、その応用例を示す。
【００１４】
図３及び４を参照すると、スピーカ装置２０は、以下を有する。
＜スピーカユニット２２＞振動板と、前記振動板を駆動するドライバユニットとを有し、前記ドライバユニットに電気信号を入力することにより、前記振動板を振動させ、前記振動板の前後の空気を振動させる。
＜エンクロージャ２３＞密閉された箱状であり、前面に穴を有する。前記スピーカユニット２２は、前記穴を塞ぐように固定されている。
＜音響反射板２１＞前記エンクロージャ２３の内部に斜めに固定されている。すなわち、前記音響反射板２１は、前記エンクロージャ２３のいずれの側面とも平行ではない。
【００１５】
密閉型のスピーカ装置では、エンクロージャ２３が互いに平行な一対の側面を有する場合、前記側面の間で音が反射して、定在波が発生する。前記音響反射板２１は、音を散乱させることにより、定在波を抑制する。実験によると、前記スピーカ装置２０は、単なる平板状の音響反射板を使用した場合と比較して、定在波の抑制効果が高いことがわかった。
【００１６】
図５を参照すると、衝立て３０は、以下を有する。
＜音響反射板３１＞略垂直に立設されている。
＜支持部３２＞前記音響反射板３１の下端部に固定され、前記音響反射板３１が倒れないように支持する。
【００１７】
例えば、大きなコンサートホールなどで小編成による演奏をする場合に、演奏者の後に前記衝立て３０を立てて使用する。これにより、演奏者の後に向かう音を反射する。
【００１８】
あるいは、オーディオルームなどでスピーカの後や横などに前記衝立て３０を立てて使用してもよい。これにより、残響特性がフラットになり、オーディオルームの存在を感じさせない音響再生が可能になる。
【００１９】
図６を参照すると、建物４０は、以下を有する。
＜壁面４２＞部屋４３を画定する。
＜音響反射板４１＞前記壁面４２に固定され、前記部屋４３の内部に配置されている。
【００２０】
前記部屋４３は、内部にスピーカ装置４４を配置して、オーディオルームとして使用する。これにより、残響特性がフラットになり、オーディオルームの存在を感じさせない音響再生が可能になる。
【符号の説明】
【００２１】
１０，２１，３１，４１  音響反射板、１１  板状材、１２，１３  ハニカム材、２０，４４  スピーカ装置、２２  スピーカユニット、２３  エンクロージャ、３０  衝立て、３２  支持部、４０  建物、４２  壁面、４３  部屋。
【図１】
2020012962.tif 000003
【図２】
2020012962.tif 000004
【図３】
2020012962.tif 000005
【図４】
2020012962.tif 000006
【図５】
2020012962.tif 000007
【図６】
2020012962.tif 000008